【事件の表示】
　平成　９年特許願第２９４１１３号「ファクシミリ装置」拒絶査定に対する審判事件［平成１１年　５月２１日出願公開、特開平１１−１３６４６０］について、次のとおり審決する。
【結　論】
　本件審判の請求は、成り立たない。
【理　由】
１．手続の経緯
　本願は、平成９年１０月２７日の出願であって、平成１３年７月１３日付で手続補正がなされ、平成１３年９月１９日付で拒絶査定がなされ、これに対して、平成１３年１１月１日付で審判請求がなされたものである。
　
２．本願発明
　本願の請求項１に係る発明（以下、「本願発明」という。）は、平成１３年７月１３日付手続補正書により補正された明細書及び図面の記載からみて、その特許請求の範囲の請求項１に記載された次のとおりのものである。
「【請求項１】　ファクシミリ装置本体に着脱可能スキャナを備えたファクシミリ装置であって、
　上記スキャナは、光学的画像読取手段と、該読取手段で読み取った画像データを記憶する記憶手段と、これらの手段を制御する手段とを備え、
　上記本体は、上記スキャナの記憶手段中のデータを読み出す手段と、該読出手段が読み出したデータを送信する手段と、上記データの送信後上記記憶手段中の上記送信データの消去の要否をユーザに確認する手段と、該確認手段による確認に対する上記ユーザの操作に従って上記送信データと対応する上記記憶手段中のデータの消去を上記制御手段に要求する手段とを備えたことを特徴とするファクシミリ装置。」
　
３．引用例
　これに対して、原査定の拒絶の理由に引用文献１として引用された実願昭６２−１５１８７号（実開昭６３−１２５４６７号）のマイクロフィルム（以下、「引用例」という。）には、図面とともに以下の各記載がある。
　ア．「一方、ハンディ型の画像読取装置６では小型で装置自体を持ち運べるが、信号ケーブル８を介してホスト装置５と接続されているため、その読み取り範囲は信号ケーブル８の届く範囲に限定されてしまう。
  このように、装置の構成によってそれぞれ前述したような不具合が生じるため、使用者はその用途が限定されるか、あるいは不具合を我慢しなくてはならなかった。したがって、持ち運びが容易で、かつホスト装置と分離して使用可能な画像読取装置が要望されている。
（考案の目的）
　そこで、本考案は、画像読取装置に読み取ったイメージデータを記憶することのできる記憶手段および外部装置と接続自在な接続手段を設けることにより、画像読取装置が独立して原稿イメージデータを読み取ることを可能とするとともに、画像読取装置を外部装置に接続し外部装置による前記記憶手段の使用を可能として、利用度および便宜性をより一層向上した画像読取装置を提供することを目的としている。
（考案の構成）
　本考案は、上記目的を達成するため、原稿の書画情報を読み取り光電変換してイメージデータとして出力する画像読取手段と、画像読取手段からのイメージデータを記憶する記憶手段と、外部装置と接続して記憶手段と外部装置とのデータの交換を行う接続手段と、読取動作を指示するための指令信号を出力する操作部と、操作部からの指令信号に基づいて画像読取手段を制御するとともに、画像読取手段からのイメージデータを処理して記憶手段に転送する制御手段と、を備えたことを特徴とするものである。」（第４頁第４行〜第５頁１６行）
　イ．「再び、第１図に戻り、ワードプロセッサ１１の本体１１ａには画像読取装置３１が着脱可能に装着されており、画像読取装置３１は、第４図に示すように、その本体３１ａに読取部３２、タイミング検出手段３３、操作部３４、コネクタ３５、バッテリーパック３６および制御手段３７を備えている。
　読取部３２は前記第２図に示すように光源３８およびイメージセンサ３９を備えている。」（第８頁第１７行〜第９頁４行）
　ウ．「再び第３図において、コネクタ（接続手段）３５は前述したワードプロセッサ１１に設けられたコネクタ２９に対応するものが使用されており、画像読取装置３１はコネクタ３５によりワードプロセッサ１１の制御手段１５と回路的に接続自在となる。バッテリーパック３６は画像読取装置３１の各動作に必要な電源を供給するものであり、バッテリーとして、例えば乾電池が使用される。
　制御手段３７は制御回路４７、光源駆動回路４８、アンプ４９、量子化回路５０、ＲＡＭ５１、速度検出回路５２およびアラーム表示回路５３を備えている。制御回路４７は操作部３４からの指令に基づいて必要な制御信号を出力し、各部を統合的に制御するとともに、タイミングセンサ４４からのタイミングパルスに基づいてイメージセンサ３９によって読み取られた原稿のイメージデータを１ライン毎に所定のタイミングでＲＡＭ５１に転送し記憶させる。」（第１１頁第１９行〜第１２頁第１５行）
　エ．「次に、画像読取装置３１のＲＡＭ５１に記憶された各ファイル毎のイメージデータをホスト装置であるワードプロセッサ１１内にデータとして取り込み処理する場合における操作を説明する。
　まず、イメージデータの読み取りが終了した画像読取装置３１をワードプロセッサ１１の所定位置に挿入しセットすると、画像読取装置３１に設けられたコネクタ３５とワードプロセッサ１１に設けられたコネクタ２９とが接続される。これにより画像読取装置３１のＲＡＭ５１はワードプロセッサ１１の制御手段１５とシステムバス３０上で接続され、ＣＰＵ２６の直接制御下に置かれる。したがって、画像読取装置３１のＲＡＭ５１はワードプロセッサ１１の制御手段１５における記憶手段の一部として機能し、ワードプロセッサ１１のプログラムの一つであるＲＡＭ５１の管理プログラムを組み込まれているため、イメージデータの読み出し、書込みを自在に行うことができる。例えば、画像読取装置３１のＲＡＭ５１をワードプロセッサ１１で使用する場合、以下のような管理プログラムが組み込まれている。
　まず、キーボード１２の拡張キー１６および実行キー１７を同時に押下すると、第８図に示すようなファイル管理メニューがＬＣＤ１４上に表示され、キーボード１２のカーソルキー１８、１９を操作してファイル管理メニューに表示された「呼出」「登録」「削除」「初期化」の各処理を適宜選択した後、実行キー１７を押すと選択された各処理が実行される。
　ここで、各処理について詳述すると、「呼出」は画像読取装置３１のＲＡＭ５１に記憶されたイメージデータを指定の各ファイル別に呼び出し（読み出し）ワードプロセッサ１１のＲＡＭ２８に転送して記憶させる。すなわち、前述したファイル管理メニューで「呼出」が選択されると、第９図に示すような画面が表示される。そして、キーボード１２のカーソルキー２０を押すと、第１０図に示すようなファイル名一覧が表示される。このファイル名一覧は画像読取装置３１のＲＡＭ５１に予め設定されている各ファイルの名称である。そして、キーボード１２のカーソルキー１８、１９、２０、２１を操作し、必要とするファイル名を選択した後実行キー１７を押下すると再び第９図の画面に戻るとともに選択したファイル名がファイル名一覧に表示される。なお、第９図においてはファイル名の表示を省略している。そこで、再度実行キー１７を押下すると、表示されたファイル名の領域に記憶されたイメージデータが画像読取装置３１のＲＡＭ５１から呼び出され、ワードプロセッサ１１のＲＡＭ２８に転送され記憶される。また、ＲＡＭ５１には各記憶領域に対応するファイル名が与えられているため、必要なイメージデータを適宜選択することができる。したがって、ワードプロセッサ１１はＲＡＭ２８に転送され記憶されたイメージデータを自在に処理することができる。」（第１７頁第１１行〜第２０頁第４行）
　オ．「「削除」は画像読取装置３１のＲＡＭ５１に記憶されているイメージデータを各ファイル毎に消去する。したがって、例えば画像処理等が終了して不要となったイメージデータを選択的に削除することができる。なお、「登録」および「削除」の操作および手順は前述した「呼出」のものと同様であるため具体的な説明は省略する。 」（第２０頁第１８行〜第２１頁４行）
　カ．「一方、本実施例では画像読取装置３１が接続されるホスト装置としてワードプロセッサ１１を使用する場合について述べたが、ホスト装置は前述したように画像読取装置３１が直接接続可能なコネクタかあるいは外部データの入力が可能なインターフェースを有し、イメージデータの読み込みが可能な全ての装置（例えばパーソナルコンピュータ、画像処理装置等）に適用できる。」（第２３頁２０行〜第２４頁第７行）
　これらの記載からみて、引用例には、
「ホスト装置本体に着脱可能な画像読取装置３１を備えたホスト装置であって、
　上記画像読取装置３１は、イメージセンサ３９と、該イメージセンサ３９で読み取ったイメージデータを記憶するＲＡＭ５１と、これらの手段を制御する制御回路４７とを備え、
　上記本体は、キーボード１２からの指令に従って上記画像読取装置３１のＲＡＭ５１中のイメージデータを読み出し、また、上記イメージデータの処理後、上記処理データと対応する不要となった上記ＲＡＭ５１中のデータの消去を行うＣＰＵ２６と、上記ＲＡＭ５１から読み出したイメージデータを画像処理する手段とを備えたホスト装置。」の発明（以下、「引用例記載の発明」という。）が記載されている。
　
４．対比
　そこで、本願発明と引用例記載の発明とを対比すると、
引用例記載の発明の「画像読取装置３１」、「イメージセンサ３９」、「イメージデータ」、「ＲＡＭ５１」、「制御回路４７」は、それぞれ本願発明の「スキャナ」、「光学的画像読取手段」、「画像データ」、「記憶手段」、「制御する手段」に相当し、また、引用例記載の発明の本体における「ＣＰＵ２６」は、画像読取装置３１のＲＡＭ５１中のイメージデータの読み出し・消去を要求、実行するものであり、ＲＡＭ５１中のデータの「読み出す手段」や「消去を要求する手段」を含むものであるといえ、さらに、本願発明の「ファクシミリ装置」はスキャナに対してホストとなる装置であることは明らかであるから、両者は、
「ホスト装置本体に着脱可能スキャナを備えたホスト装置であって、
　上記スキャナは、光学的画像読取手段と、該読取手段で読み取った画像データを記憶する記憶手段と、これらの手段を制御する手段とを備え、
　上記本体は、上記スキャナの記憶手段中のデータを読み出す手段と、該読出手段が読み出したデータを処理する手段と、上記データの処理後、上記処理データと対応する上記記憶手段中のデータの消去を要求する手段とを備えたことを特徴とするホスト装置。」
である点で一致し、次の点で相違する。
（相違点１）
　本願発明では着脱可能スキャナを備えたホスト装置本体がファクシミリ装置であり、該本体での読み出したデータに対する処理が送信であるのに対し、引用例記載の発明ではホスト装置本体の具体例がワードプロセッサであり、該本体での読み出したデータに対する処理が画像処理である点。
（相違点２）
　データの処理後における、処理データと対応する記憶手段中のデータの消去の要求が、本願発明では記憶手段中のデータの消去の要否をユーザに確認する手段を備え、該確認手段による確認に対する上記ユーザの操作に従ってスキャナに備えられている制御手段に対して行われるものであるのに対し、引用例記載の発明では記憶手段中のデータの消去の要否をユーザに確認する手段を備えることの記載は特になく、また、記憶手段中のデータの消去は本体のＣＰＵが直接的に行うものであり、上記要求をスキャナに備えられている制御手段に行うものではない点。
　
５．当審の判断
　上記相違点について検討すると、
（相違点１）について
　引用例にはスキャナが接続される「ホスト装置」として、イメージデータの読み込みが可能な全ての装置が該当する旨記載（前記「（２）カ．」参照）されており、また、着脱可能スキャナを備えたファクシミリ装置も周知のもの（例えば特開平５−９１２５１号公報、特開平７−１９３６６３号公報を参照）であることからして、このようなイメージデータの読み込みが可能な装置にファクシミリ装置も含まれることは当業者であればごく普通に想到し得るところであり、引用例記載の発明において、ホスト装置をワードプロセッサに代えてファクシミリ装置とすることは当業者が適宜になし得る事項であり、またその場合に、本体での読み出したデータに対する処理として送信が行われるのも当然のことである（上記周知例を参照）。
（相違点２）について
　一般に、記憶手段中の処理済み等のデータを消去しようとする場合に、消去の要否を問うメッセージを表示するなどしてユーザに確認する手段を設け、該確認手段による確認に対するユーザの操作に従って消去処理を行うようにすることは、例えば原審の拒絶査定で周知例として掲げられた特開平７−１０５０６１号公報や特開平７−２２５７０４号公報、さらに特開平５−１５３３０１号公報（特に、段落番号【００１６】及び第２図を参照されたい。送信・コピーの処理後、メモリ画像の消去の要否がメッセージ表示される点や、これに対してオペレータが答える点が記載されている。）にも記載されているように周知の技術的事項である。また、記憶手段中のデータを消去するなどの記憶手段の制御を、本体のＣＰＵ（制御手段）により直接的に行うようにするか、あるいはスキャナに備えられている制御手段を介して行うようにするかは個々の実施態様に応じて当業者が適宜に定め得る設計的事項にすぎない。よって、引用例記載の発明において、データの処理後における、処理データと対応する記憶手段中のデータの消去の要求を、記憶手段中のデータの消去の要否をユーザに確認する手段を設け、該確認手段による確認に対する上記ユーザの操作に従ってスキャナに備えられている制御手段（例えば制御回路４７）に対して行うように構成することも当業者であれば容易になし得ることと認められる。
　そして、本願発明の構成に基づく作用効果についてみても当業者が予測し得る範囲内のものにすぎず、格別顕著なものがあるとはいえない。
　
６．むすび
　以上のとおり、本願発明は、引用例に記載された発明及び周知の技術的事項に基づいて当業者が容易に発明をすることができたものであるから、特許法第２９条第２項の規定により特許を受けることができない。
　よって、結論のとおり審決する。